(57)【要約】【課題】使用中の視力補正器が適しているか否かをユーザに容易に把握させることのできる携帯端末、情報処理システムを提供すること。【解決手段】携帯端末１００は、画像を撮影するためのカメラ１と、ユーザの視力補正器が対応可能な視力範囲データを含む、（第１の）視力補正器データを記憶するための記憶部４と、カメラ１によりユーザの目が撮影された場合に、撮影された画像を解析することで、ユーザの視力を推定するための画像解析部２と、推定された視力と視力範囲データとを比較することで、推定された視力が視力範囲データが示す適正範囲内か否かを判断するための比較部５と、比較部５による処理の結果を表示するための表示部７とを備える。【選択図】図２
2010201119.tif 000002
【特許請求の範囲】
【請求項１】
画像を撮影するための撮像手段と、
ユーザの視力補正器が対応可能な視力範囲データを含む、第１の視力補正器データを記憶するための記憶手段と、
前記撮像手段によりユーザの目が撮影された場合に、撮影された画像を解析することで、ユーザの視力を推定するための画像解析手段と、
推定された視力と前記視力範囲データとを比較することで、前記推定された視力が前記視力範囲データが示す適正範囲内か否かを判断するための比較手段と、
前記比較手段による処理の結果を表示するための表示手段とを備える、携帯端末。
【請求項２】
複数の視力補正器についての第２の視力補正器データを保持したサーバとネットワークを介して接続可能な通信手段と、
前記推定された視力が前記適正範囲でなかった場合には、前記サーバより、前記推定された視力に適した視力補正器に関する特定データを取得するための取得手段とをさらに備え、
前記表示手段は、さらに、取得された前記特定データに基づいて、ユーザの視力に適した視力補正器の情報を表示する、請求項１に記載の携帯端末。
【請求項３】
前記通信手段は、前記推定された視力のデータを送信する、請求項２に記載の携帯端末。
【請求項４】
前記第１の視力補正器データは、前記ユーザの視力補正器のメーカー名を示すデータをさらに含み、
前記通信手段は、さらに、前記メーカー名を示すデータを送信する、請求項３に記載の携帯端末。
【請求項５】
前記複数の視力補正器についての第２の視力補正器データを入力するための入力手段と、
前記推定された視力が前記適正範囲でなかった場合には、前記推定された視力と、前記入力手段より入力された前記第２の視力補正器データとに基づいて、前記推定された視力に適した視力補正器を検索するための検索手段とをさらに備え、
前記表示手段は、前記検索手段による検索結果に基づいて、ユーザの視力に適した視力補正器の情報をさらに表示する、請求項１に記載の携帯端末。
【請求項６】
前記記憶手段は、前記処理の結果の通知態様として、前記ユーザに視力に適した視力補正器の情報を表示するか否かを示す通知態様データをさらに含む、請求項２〜５のいずれかに記載の携帯端末。
【請求項７】
携帯端末と、ネットワークを介して前記携帯端末と接続可能なサーバとを備えた情報処理システムであって、
前記携帯端末は、
画像を撮影するための撮像手段と、
ユーザの視力補正器が対応可能な視力範囲データを含む、第１の視力補正器データを記憶するための第１の記憶手段と、
前記撮像手段によりユーザの目が撮影された場合に、撮影された画像を解析することで、ユーザの視力を推定するための画像解析手段と、
推定された視力と前記視力範囲データとを比較することで、前記推定された視力が前記視力範囲データが示す適正範囲内か否かを判断するための比較手段と、
前記推定された視力が前記適正範囲でなかった場合には、前記推定された視力のデータを、ネットワークを介して前記サーバに送信し、かつ、前記推定された視力に適した視力補正器に関する特定データを受信するための第１の通信手段と、
前記特定データに基づいて、ユーザの視力に適した視力補正器の情報を表示するための表示手段とを含み、
前記サーバは、
複数の視力補正器についての第２の視力補正器データを記憶するための第２の記憶手段と、
前記携帯端末より受信した前記推定された視力のデータと、前記第２の視力補正器データとに基づいて、前記推定された視力に適した視力補正器を検索するための検索手段と、
前記検索手段により検索された視力補正器のデータを、前記特定データとして送信するための第２の通信手段とを含む、情報処理システム。
【発明の詳細な説明】
【技術分野】
【０００１】
本発明は、携帯端末および情報処理システムに関し、特に、撮像部（カメラ）を備えた携帯端末および情報処理システムに関する。
【背景技術】
【０００２】
従来、コンタクトレンズ・眼鏡等の視力補正器については、購入時に病院、または販売店にて視力を測定して、使用者にあった視力の視力補正器を購入する形態である。
【０００３】
しかし、時間が経つにつれ、使用者の視力は購入時の視力から変化することが予想される。その場合、使用者が使用している視力補正器に対して違和感を感じた場合は、次のような手順をとるのが一般的である。すなわち、使用者は、自ら販売店あるいは病院に行って視力の再測定を行い、購入時の視力と異なっていれば、再度自分の視力にあった視力補正器を購入するという手順である。
【０００４】
特許文献１には、販売店または病院に赴くことなく、コンタクトレンズのサポートとしてカメラにより画像を取得して、コンタクトレンズの傷、汚れ等の不具合状態を把握してサポートを行うシステムが提供されている。
【先行技術文献】
【特許文献】
【０００５】
【特許文献１】国際公開第２００３／０８７７５５号
【発明の概要】
【発明が解決しようとする課題】
【０００６】
上述のように、視力補正器を購入後に使用者の視力が変化することが予想されるが、使用している視力補正器が使用者に合っているかどうかについては、使用者の感覚に頼らなければならないのが現状である。
【０００７】
上記特許文献１のシステムでは、あくまでコンタクトレンズ自体の保守を対象にしており、使用者の視力の変化については何ら考慮されていない。
【０００８】
本発明は、上記のような問題を解決するためになされたものであって、その目的は、使用中の視力補正器が適しているか否かをユーザに容易に把握させることのできる携帯端末、情報処理システムを提供することである。
【課題を解決するための手段】
【０００９】
この発明のある局面に従う携帯端末は、画像を撮影するための撮像手段と、ユーザの視力補正器が対応可能な視力範囲データを含む、第１の視力補正器データを記憶するための記憶手段と、撮像手段によりユーザの目が撮影された場合に、撮影された画像を解析することで、ユーザの視力を推定するための画像解析手段と、推定された視力と視力範囲データとを比較することで、推定された視力が視力範囲データが示す適正範囲内か否かを判断するための比較手段と、比較手段による処理の結果を表示するための表示手段とを備える。
【００１０】
好ましくは、複数の視力補正器についての第２の視力補正器データを保持したサーバとネットワークを介して接続可能な通信手段と、推定された視力が適正範囲でなかった場合には、サーバより、推定された視力に適した視力補正器に関する特定データを取得するための取得手段とをさらに備え、表示手段は、さらに、取得された特定データに基づいて、ユーザの視力に適した視力補正器の情報を表示する。
【００１１】
好ましくは、通信手段は、推定された視力のデータを送信する。
好ましくは、第１の視力補正器データは、ユーザの視力補正器のメーカー名を示すデータをさらに含み、通信手段は、さらに、メーカー名を示すデータを送信する。
【００１２】
好ましくは、複数の視力補正器についての第２の視力補正器データを入力するための入力手段と、推定された視力が適正範囲でなかった場合には、推定された視力と、入力手段より入力された第２の視力補正器データとに基づいて、推定された視力に適した視力補正器を検索するための検索手段とをさらに備え、表示手段は、検索手段による検索結果に基づいて、ユーザの視力に適した視力補正器の情報をさらに表示する。
【００１３】
好ましくは、記憶手段は、処理の結果の通知態様として、ユーザに視力に適した視力補正器の情報を表示するか否かを示す通知態様データをさらに含む。
【００１４】
この発明の他の局面に従う情報処理システムは、携帯端末と、ネットワークを介して携帯端末と接続可能なサーバとを備えた情報処理システムであって、携帯端末は、画像を撮影するための撮像手段と、ユーザの視力補正器が対応可能な視力範囲データを含む、第１の視力補正器データを記憶するための第１の記憶手段と、撮像手段によりユーザの目が撮影された場合に、撮影された画像を解析することで、ユーザの視力を推定するための画像解析手段と、推定された視力と視力範囲データとを比較することで、推定された視力が視力範囲データが示す適正範囲内か否かを判断するための比較手段と、推定された視力が適正範囲でなかった場合には、推定された視力のデータを、ネットワークを介してサーバに送信し、かつ、推定された視力に適した視力補正器に関する特定データを受信するための第１の通信手段と、特定データに基づいて、ユーザの視力に適した視力補正器の情報を表示するための表示手段とを含む。サーバは、複数の視力補正器についての第２の視力補正器データを記憶するための第２の記憶手段と、携帯端末より受信した推定された視力のデータと、第２の視力補正器データとに基づいて、推定された視力に適した視力補正器を検索するための検索手段と、検索手段により検索された視力補正器のデータを、特定データとして送信するための第２の通信手段とを含む。
【発明の効果】
【００１５】
本発明によると、ユーザは、使用中の視力補正器が自分の現状の視力に適しているか否かを容易に把握することができる。
【図面の簡単な説明】
【００１６】
【図１】本発明の実施の形態における情報処理システムの概要を示す図である。
【図２】本発明の実施の形態における携帯端末の機能構成を示すブロック図である。
【図３】本発明の実施の形態における携帯端末のハードウェア構成の一例を示すブロック図である。
【図４】本発明の実施の形態におけるサーバのハードウェア構成の一例を示すブロック図である。
【図５】本発明の実施の形態において、携帯端末により実行される使用レンズデータの登録処理を示すフローチャートである。
【図６】本発明の実施の形態における携帯端末の記憶部の内容例を示す図である。
【図７】本発明の実施の形態における記憶部に含まれる使用レンズデータのデータ構造の一例を示す図である。
【図８】本発明の実施の形態において、携帯端末により実行される適正判定処理を示すフローチャートである。
【図９】図８のステップＳ２５で表示される画面例を示す図である。
【図１０】図８のステップＳ２８で表示される画面例を示す図である。
【図１１】図８のステップＳ２１２で表示される画面例を示す図である。
【図１２】本発明の実施の形態におけるサーバに保有されるコンタクトレンズ管理情報（視力補正器情報）のデータ構造の一例を示す図である。
【図１３】本発明の実施の形態において、サーバにより実行される最適レンズ検索処理を示すフローチャートである。
【発明を実施するための形態】
【００１７】
本発明の実施の形態について図面を参照しながら詳細に説明する。なお、図中同一または相当部分には同一符号を付してその説明は繰返さない。
【００１８】
＜構成について＞
はじめに、図１を参照して、本実施の形態における情報処理システムの概要を説明する。
【００１９】
情報処理システムは、複数の携帯端末１００Ａ，１００Ｂ，１００Ｃ，…（以下、これらを総称して「携帯端末１００」という）と、サーバ２００とを備える。各携帯端末１００とサーバ２００とはネットワーク３００を介して接続可能である。ネットワーク３００は、携帯電話網やインターネットを含んでよい。
【００２０】
図２を参照して、携帯端末１００の機能構成について説明する。
携帯端末１００は、カメラ１、画像解析部２、操作部３、記憶部４、比較部５、制御部６、表示部７、無線部８を備えている。
【００２１】
カメラ１は、使用者の操作により画像を撮影することが可能である。
画像解析部２は、カメラ１によりユーザの目が撮影された場合に、撮影された画像を解析し、出力結果として視力を出力することが可能である。
【００２２】
操作部３は、使用者からの指示を受付ける。操作部３はたとえば複数のキーを含む。ユーザがキーを押下することにより、ユーザが使用中の視力補正器のデータを記憶部４に格納させることが可能である。「視力補正器」とは、ユーザの視力を補正するための装着品であって、コンタクトレンズおよび眼鏡を含む。本実施の形態において、視力補正器はコンタクトレンズであることとして説明する。
【００２３】
記憶部４は、ユーザにより入力されたのデータ（以下「使用レンズデータ」という）を記憶する。使用レンズデータは、少なくとも、使用中のコンタクトレンズが対応可能な視力範囲データを含む。
【００２４】
また、記憶部４は、画像解析部２によって測定された視力のデータをさらに記憶することも可能である。また、後述する比較部５での処理結果の表示形態に関するデータ（以下「通知態様データ」という）をさらに記憶してよい。この表示形態に関するデータは、ユーザにより入力されてよい。
【００２５】
比較部５は、画像解析部２によって出力された視力データと、記憶部４に格納されている使用レンズデータとを比較して、使用しているコンタクトレンズが最適なものであるかを判断する。
【００２６】
制御部６は、比較部５の出力結果を受けて、表示部７に結果を表示させる。また、無線部８とデータの送受信することが可能である。
【００２７】
表示部７は、制御部６からの要求にしたがって、各種情報を表示する。
無線部８は、アンテナ９と接続される。無線部８は、制御部６からの要求にしたがって、サーバ２００に対してデータの送受信を行うことが可能である。
【００２８】
図３を参照して、携帯端末１００のハードウェア構成の一例について説明する。本実施の形態における携帯端末１００は、携帯電話機である。なお、携帯電話機に限定されず、カメラを備えた携帯端末であれば、たとえば、ＰＨＳ等の移動体通信端末、有線による一般電話回線網に接続される電話機（子機）、ＰＤＡなどであってもよい。
【００２９】
携帯端末１００は、上述のカメラ１、操作部３、表示部７、無線部８、および、アンテナ９に加え、ＣＰＵ（Central Processing Unit）３０と、各種データを一時的に記憶するためのＲＡＭ（Random Access Memory）４１と、予めプログラムおよびデータを格納するためのＲＯＭ（Read Only Memory）４２と、不揮発性メモリ、たとえばフラッシュメモリ４３と、マイクロフォン２４と、音声信号処理部３８と、スピーカ１９と、再生回路１８と、計時動作を行なうための計時部２５と、アクセス部２６とを備える。
【００３０】
ＣＰＵ３０は、ＲＯＭ４２および／またはフラッシュメモリ４３に記憶される制御プログラムや制御データに従って、携帯端末の各部を統括して制御する。具体的には、ＣＰＵ３０は、操作部３を通じたユーザからの要求に応じて各部を制御し、ＲＯＭ４２および／またはフラッシュメモリ４３からアプリケーションプログラムを読み込んで選択的に実行することができる。
【００３１】
音声信号処理部３８は、マイクロフォン２４からの音声に対して信号処理を実行する。再生回路１８は、スピーカ１９へ音声などを出力するための信号再生処理を行なう。
【００３２】
アクセス部２６は、着脱可能な記録媒体２６Ａに記録されたデータやプログラムの読出しおよび記録を行なう。
【００３３】
なお、図２に示した画像解析部２、比較部５および制御部６は、ＣＰＵ３０により実現される機能であってよい。また、図２に示した記憶部４は、たとえばフラッシュメモリ４３内の所定の記憶領域に対応する。
【００３４】
図４を参照して、本発明の実施の形態におけるサーバ２００のハードウェア構成の一例について説明する。
【００３５】
サーバ２００は、たとえば一般的なパーソナルコンピュータであり、オペレーティングシステム（ＯＳ：Operating System）を含む各種プログラムを実行するＣＰＵ（Central Processing Unit）２０１と、ＣＰＵ２０１でのプログラムの実行に必要なデータを一時的に記憶するメモリ部２１３と、ＣＰＵ２０１で実行されるプログラムを不揮発的に記憶するハードディスク部（ＨＤＤ：Hard Disk Drive）２１１とを含む。また、ハードディスク部２１１には、各種プログラムが記憶されており、このようなプログラムは、ＦＤＤドライブ２１７またはＣＤ−ＲＯＭドライブ２１５によって、それぞれフレキシブルディスク２１７ａまたはＣＤ−ＲＯＭ（Compact Disk-Read Only Memory）２１５ａなどから読取られる。
【００３６】
ＣＰＵ２０１は、キーボードやマウスなどからなる入力部２０９を介してユーザからの指示を受取るとともに、プログラムの実行によって生成される画面出力をディスプレイ部２０５へ出力する。また、ＣＰＵ２０１は、通信インターフェイス部２０７を介して、携帯端末１００との間でデータの送受信を行なう。
【００３７】
上述の各部は、内部バス２０３を介して相互にデータを授受する。
＜携帯端末１００での処理＞
次に、本実施の形態における携帯端末１００での処理について説明する。
【００３８】
（登録処理）
図５のフローチャートを参照して、使用レンズデータの登録処理について説明する。
【００３９】
図５のフローチャートに示す処理は、予めプログラムとしてＲＯＭ４２等の記録媒体に格納されており、ＣＰＵ３０がこのプログラムを読み出して実行することにより、登録処理の機能が実現される。
【００４０】
使用者は、操作部３を操作して、現在使用者が使用しているコンタクトレンズを特定するための情報を入力する（ステップＳ１１）。入力する情報は、メーカー、型番、視力範囲を含む。視力範囲は、使用しているコンタクトレンズの適応視力の範囲を示す。なお、使用しているコンタクトレンズの適応視力が特定できれば、コンタクトレンズの視力範囲に限らず、現在の使用者の視力が入力されてもよい。
【００４１】
操作部３によって入力された情報は、記憶部４に格納される（ステップＳ１２）。
ここで、本実施の形態における記憶部４のデータ構造の一例について説明する。
【００４２】
図６を参照して、記憶部４には、使用レンズデータＩ１１と、通知態様データＩ１２と、視力データＩ１３とが記憶される。使用レンズデータＩ１１は、図５の登録処理によって記憶されるデータである。使用レンズデータＩ１１のデータ構造例を図７に示す。
【００４３】
図７を参照して、使用レンズデータＩ１１は、メーカー名を示すデータと、型番を示すデータと、使用中のコンタクトレンズがカバーする（対応可能な）視力の範囲（適正視力範囲）を示すデータとを含む。なお、使用レンズデータＩ１１は、少なくとも適正視力範囲を示すデータを含んでいればよい。また、記憶部４には、コンタクトレンズ（あるいは眼鏡）についてのデータが記録されてもよい。視力補正器が眼鏡の場合も、使用レンズデータＩ１１と同様のデータが含まれてよい。
【００４４】
通知態様データＩ１２は、コンタクトレンズが適正でなかった場合に、どのような表示をするかを識別するためのデータである。つまり、通知態様データＩ１２は、ユーザの現在の視力に適したコンタクトレンズの情報を表示するか否かを示す。したがって、本実施の形態では、通知態様データＩ１２は、ネットワーク３００を介してサーバ２００にアクセスして現在の視力に適した別のコンタクトレンズの情報を通知するか否かを示すことになる。より具体的には、適正でない旨の通知のみを行なう態様か、あるいは、現在の視力に適した別のコンタクトレンズの情報を通知する態様かを識別するためのデータである。たとえば、前者の通知態様の場合「０」が設定され、後者の通知態様の場合「１」が設定される。このような通知態様の選択は、ユーザにより行なわれてよい。
【００４５】
視力データＩ１３は、画像解析部２によって測定された視力のデータである。
（適正判定処理）
図８のフローチャートを参照して、本実施の形態における適正判定処理（使用中のコンタクトレンズが現在のユーザの視力に適しているかどうかを判定する処理）について説明する。
【００４６】
図８のフローチャートに示す処理もまた、予めプログラムとしてＲＯＭ４２等の記録媒体に格納されており、ＣＰＵ３０がこのプログラムを読み出して実行することにより、適正判定処理の機能が実現される。
【００４７】
はじめに、使用者は操作部３を操作して、カメラ１を起動させる。そして、起動されたカメラ１を使用して、使用者の目の画像について撮影を行う（ステップＳ２１）。撮影された目の画像は、画像解析部２に入力される。
【００４８】
画像解析部２では、撮影された目の画像の解析を行い、ユーザの視力を測定（推定）する（ステップＳ２２）。画像解析の方法としては、例えばPurkinje-Sanson像（PS像）の２点間距離変化率による解析方法等を用いることができる。画像解析部２で解析された視力データについては比較部５に入力される。
【００４９】
また、記憶部４にあらかじめ保存されているコンタクトレンズの適正視力の情報、すなわち、使用レンズデータＩ１１の適正視力範囲データを読出し、比較部５に入力する。
【００５０】
比較部５は、画像解析部２から入力された視力データと、記憶部４から入力された使用中のコンタクトレンズの適正視力範囲データとを比較する（ステップＳ２３）。具体的には、画像解析部２で解析された視力（現時点での視力）が、使用中のコンタクトレンズの適正視力範囲に含まれているかどうかを判断する。これにより、コンタクトレンズ購入時からユーザの視力が変化したかどうかが判断される。
【００５１】
現時点での視力が使用中のコンタクトレンズの適正視力範囲に含まれていると判断された場合、使用中のコンタクトレンズが適正であったと判断される。一方、現時点での視力が使用中のコンタクトレンズの適正視力範囲に含まれていないと判断された場合、使用中のコンタクトレンズが適正でないと判断される。このような判断結果は、制御部６に入力される。
【００５２】
比較部５による処理の結果、使用中のコンタクトレンズが適正であったと判断された場合（ステップＳ２４にて「問題なし」）、制御部６は、記憶部４に保存されている使用レンズデータＩ１１で特定されるコンタクトレンズは、画像解析部２で解析された、現在の視力に適正である（最適な状態である）旨を、表示部７に通知する（ステップＳ２５）。これにより、表示部７は、図９に示すような画面を表示する。
【００５３】
図９を参照して、表示部７には、たとえば、「使用中のコンタクトレンズは適正です。」というメッセージが表示される。これにより、ユーザは、現在のコンタクトレンズが適していることを把握することができる。なお、表示部７には、ステップＳ２２で判定された視力がさらに表示されてもよい。
【００５４】
比較部５にて、使用中のコンタクトレンズが適正なものでなかった場合（ステップＳ２４にて「問題あり」）、制御部６は、記憶部４に格納されている通知態様データＩ１２を読み出す（ステップＳ２６）。
【００５５】
制御部６は、通知態様データＩ１２に基づいて、ネットワーク接続を行うかどうかの判定処理を行う（ステップＳ２７）。
【００５６】
制御部６は、通知態様データＩ１２が「０」であった場合、すなわち、ネットワーク接続を行わないと判定した場合（ステップＳ２７にてＮＯ）、表示部７に対して、現在使用しているコンタクトレンズが適正なものではない（現在の視力にあっていない）旨表示するよう要求する（ステップＳ２８）。これにより、表示部７には、図１０に示すような画面が表示される。
【００５７】
図１０を参照して、表示部７には、たとえば、「使用中のコンタクトレンズはあなたの視力にあっていないため交換が必要です。」というメッセージが表示される。これにより、ユーザは、現在のコンタクトレンズが適していないこと、つまり、現在のコンタクトレンズを購入したときから視力が変化していることを把握することができる。また、この場合も、表示部７には、ステップＳ２２で判定された視力がさらに表示されてもよい。
【００５８】
上記ステップＳ２７において、通知態様データＩ１２が「１」であると判断された場合、すなわち、ネットワーク接続を行わないと判定された場合、無線部８に対して、ネットワーク３００を介してサーバ２００にアクセスをするように要求する（ステップＳ２９）。
【００５９】
無線部８は、サーバ２００にアクセスした後、制御部６から入力された、画像解析部２によって解析された視力データ（記憶部４の視力データＩ１３）、および、使用中のレンズのデータ（記憶部４の使用レンズデータＩ１１）を、サーバ２００に送信する（ステップＳ２１０）。なお、使用レンズデータＩ１１のうち、少なくともメーカー名のデータがサーバ２００に送信されればよいものとする。
【００６０】
その後、無線部８は、サーバ２００から、現在のユーザの視力に適したコンタクトレンズを特定するためのデータを取得する（ステップＳ２１１）。
【００６１】
無線部８は、取得したコンタクトレンズのデータを制御部６に通知し、制御部６は、無線部８から得られた情報を表示部７に通知する（ステップＳ２１２）。これにより、表示部７には、図１１のような画面が表示される。
【００６２】
図１１を参照して、表示部７には、たとえば、「あなたの視力にあったコンタクトレンズは下記になります。」というメッセージと、ユーザに適したコンタクトレンズを特定するための情報として、たとえば、メーカー名および型番が表示される。なお、２種以上のコンタクトレンズに関する情報が表示されてもよい。
【００６３】
これにより、ユーザは、現在のコンタクトレンズが適していないこと、つまり、現在のコンタクトレンズを購入したときから視力が変化していることを把握することができる。さらに、現在の視力に適したコンタクトレンズの情報が表示されるので、ユーザは、コンタクトレンズの販売店や眼科医に出向かなくても、現在の視力に適したコンタクトレンズの情報を得ることができる。なお、この場合も、表示部７には、ステップＳ２２で判定された視力がさらに表示されてもよい。
【００６４】
＜サーバでの処理＞
図１２には、サーバ２００のたとえばハードディスク部２１１に記録されるコンタクトレンズ管理情報Ｉ２１のデータ構造例が示されている。
【００６５】
図１２を参照して、コンタクトレンズ管理情報Ｉ２１には、コンタクトレンズを特定するための識別データ（ＩＤ）に対応付けて、メーカー名のデータ、型番のデータ、および、適切視力範囲のデータが含まれる。
【００６６】
このようなコンタクトレンズ管理情報Ｉ２１内の各データは、各メーカーが保有するメーカー端末（図示せず）より、追加、変更および削除ができてよい。その場合、各メーカー端末は、ネットワーク３００を介して、サーバ２００と接続されるものとする。また、メーカー端末のハードウェア構成は、サーバ２００と同様であってよい。
【００６７】
これにより、サーバ２００には、常に最新のコンタクトレンズの情報が格納されることになる。
【００６８】
図１３のフローチャートを参照して、本実施の形態におけるサーバ２００により実行される最適レンズ検索処理について説明する。
【００６９】
図１３のフローチャートに示す処理は、予めプログラムとしてハードディスク部２１１等の記録媒体に格納されており、ＣＰＵ２０１がこのプログラムを読み出して実行することにより、最適レンズ検索処理の機能が実現される。
【００７０】
図１３を参照して、サーバ２００の通信インターフェイス部２０７が、携帯端末１００より視力データおよび使用レンズデータを受信する（ステップＳ３１）。通信インターフェイス部２０７は、受信したデータをＣＰＵ２０１に出力する。
【００７１】
ＣＰＵ２０１は、入力したデータに基づいて、携帯端末１００のユーザに適したコンタクトレンズを検索する（ステップＳ３２）。具体的には、コンタクトレンズ管理情報Ｉ２１内の各データを検索して、視力データが示す視力を適切視力範囲に含むコンタクトレンズを検索する。検索されたコンタクトレンズのうち、現在使用しているメーカー（使用レンズデータに含まれるメーカー名）のものがあれば、それを選択（抽出）する。もし、使用しているメーカーのものがなければ、現在のユーザの視力をカーバーする全てのコンタクトレンズを選択（抽出）してよい。
【００７２】
そして、上述のような検索結果を、視力データを送信してきた携帯端末１００に返送する（ステップＳ３３）。つまり、ユーザの視力に適したコンタクトレンズを特定するためのデータを携帯端末１００に送信する。
【００７３】
以上のような処理により、携帯端末１００のユーザは、場所や時を選ばずに、視力を測定することができ、かつ、現在使用しているコンタクトレンズが適正なものであるか否かを知ることができる。さらに、予め、ネットワーク３００にアクセスすることを設定しておけば、現在の視力に適したコンタクトレンズの情報を得ることもできる。
【００７４】
＜変形例１＞
なお、本実施の形態では、ユーザに適したコンタクトレンズを検索する際に、使用中のコンタクトレンズのメーカーを考慮したが、メーカーを考慮せずに検索してもよい。
【００７５】
その場合、図８のステップＳ２１０において、使用レンズデータは送信されなくてもよい。また、図１３のステップＳ３２では、サーバ２００は、ユーザの視力に適合する全てのコンタクトレンズを検索し、ステップＳ３３では、その検索結果を携帯端末１００に送信してもよい。
【００７６】
＜変形例２＞
上記実施の形態では、サーバ２００において、ユーザの視力に適したコンタクトレンズの検索処理が実行されたが、このような検索処理が携帯端末１００で行なわれてもよい。その場合、携帯端末１００およびサーバ２００において、たとえば次のような処理が行なわれる。
【００７７】
ステップＳ２１０の処理に代えて、携帯端末１００は、コンタクトレンズ管理情報Ｉ１２の送信を要求する。ステップＳ３１の処理に代えて、サーバ２００は、上記要求を受信する。
【００７８】
サーバ２００は、ステップＳ３２，Ｓ３３の処理に代えて、ハードディスク部２１１よりコンタクトレンズ管理情報Ｉ１２を読出し、読み出した情報を携帯端末１００に送信する。
【００７９】
携帯端末１００は、ステップＳ２１０の処理に代えて、サーバ２００よりコンタクトレンズ管理情報を受信する（入力する）。そして、携帯端末１００の制御部６は、図９のステップＳ３２と同様の処理を実行し、ステップＳ２１２にてその結果を表示する。
【００８０】
なお、本変形例の処理は、変形例１の処理と組合わせてもよい。
＜変形例３＞
上記変形例２では、コンタクトレンズ管理情報Ｉ１２は、サーバ２００に保有されたが、着脱可能な記録媒体２６Ａに格納されており、上記変形例２のような処理を行なってもよい。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８２】
１  カメラ、２  画像解析部、３  操作部、４  記憶部、５  比較部、６  制御部、７  表示部、８  無線部、９  アンテナ、１８  再生回路、１９  スピーカ、２４  マイクロフォン、２５  計時部、２６  アクセス部、２６Ａ  記録媒体、３０  ＣＰＵ、３８  音声信号処理部、４１  ＲＡＭ、４２  ＲＯＭ、４３  フラッシュメモリ、１００（１００Ａ，１００Ｂ，１００Ｃ）  携帯端末、２００  サーバ、２０１  ＣＰＵ、２０３  内部バス、２０５  ディスプレイ部、２０７  通信インターフェイス部、２０９  入力部、２１１  ハードディスク部、２１３  メモリ部、２１５  ＣＤ−ＲＯＭドライブ、２１５ａ  ＣＤ−ＲＯＭ、２１７  ＦＤＤドライブ、２１７ａ  フレキシブルディスク、３００  ネットワーク。
【図１】
2010201119.tif 000003
【図２】
2010201119.tif 000004
【図３】
2010201119.tif 000005
【図４】
2010201119.tif 000006
【図５】
2010201119.tif 000007
【図６】
2010201119.tif 000008
【図７】
2010201119.tif 000009
【図８】
2010201119.tif 000010
【図９】
2010201119.tif 000011
【図１０】
2010201119.tif 000012
【図１１】
2010201119.tif 000013
【図１２】
2010201119.tif 000014
【図１３】
2010201119.tif 000015